(57)【要約】【課題】インターネットテレビ装置において、操作者の所望の選択項目へ容易にフォーカス移動できるようにすること。【解決手段】ＷＥＢサーバ上のハイパーテキスト文書を表示し、リモコンでフォーカスを移動させるインターネットテレビ装置において、前記ハイパーテキスト文書を表示する表示手段と、前記ハイパーテキスト文書を解析してフォーカス移動可能な選択項目を抽出する解析手段と前記リモコンの入力ボタン情報から得られたリモコンボタンの位置から前記表示手段上の特定の領域を特定する領域特定手段と、前記領域内のどの選択項目に移動するかを決定するフォーカス位置決定手段を備えたことにより画面上に選択項目が多い場合であっても、フォーカスの移動を容易に少ない操作で行うことが可能となる。【選択図】図１
2007074460.tif 000002
【特許請求の範囲】
【請求項１】
ＷＥＢサーバ上のハイパーテキスト文書を表示し、リモコンでフォーカスを移動させるインターネットテレビ装置において、
前記ハイパーテキスト文書を表示する表示手段と、
前記ハイパーテキスト文書を解析してフォーカス移動可能な選択項目を抽出する解析手段と、
前記リモコンの入力ボタン情報から得られたリモコンボタンの位置から前記表示手段上の特定の領域を特定する領域特定手段と、
前記領域内のどの選択項目に移動するかを決定するフォーカス位置決定手段とを備えたことを特徴とするインターネットテレビ装置。
【発明の詳細な説明】
【技術分野】
【０００１】
本発明は、インターネットテレビ装置に関し、特に、フォーカスの移動操作方式に関する。
【背景技術】
【０００２】
ＷＥＢサーバ上のハイパーテキスト文書を表示し、リモコンでフォーカスを移動させるインターネットテレビ装置がある（例えば、特許文献１参照）。しかし、上記インターネットテレビ装置では、フォーカス移動可能な選択項目が多数ある場合、リモコンボタンを何回も押さねばならず、操作性が悪いという課題があった。そこで、上記課題を解決することを目的として、リモコンの各数字キーにハイパーテキスト文書上での選択項目を割り当て、直に選択可能な装置がある（例えば、特許文献２参照）。
【特許文献１】国際公開第９８／０１２８７１号パンフレット
【特許文献２】特開平１０−０９８６５４号公報
【発明の開示】
【発明が解決しようとする課題】
【０００３】
しかしながら、上記特許文献２記載の装置では、操作者が選択したい項目の番号を画面で確認し、選択したい項目に対応する番号を正確に押す必要があり、画面内に選択可能な項目が多くなったときには番号を確認するのが難しくなり操作性が悪くなるという問題があった。
【０００４】
この発明は、上述の課題を解決するためになされたものであり、フォーカスの移動を容易に行うことを目的としている。
【課題を解決するための手段】
【０００５】
この発明によれば、上記の目的を達成するために、ＷＥＢサーバ上のハイパーテキスト文書を表示し、リモコンでフォーカスを移動させるインターネットテレビ装置において、前記ハイパーテキスト文書を表示する表示手段と、前記ハイパーテキスト文書を解析してフォーカス移動可能な選択項目を抽出する解析手段と前記リモコンの入力ボタン情報から得られたリモコンボタンの位置から前記表示手段上の特定の領域を特定する領域特定手段と、前記領域内のどの選択項目に移動するかを決定するフォーカス位置決定手段を備えた。このように構成したことにより、本インターネットテレビ装置は、フォーカスの移動を容易に行うことが可能となる。
【０００６】
なお、この明細書で「フォーカス」とは、画面上で複数の選択可能な領域、線または点などのうちの１つをユーザーが指示することにより、その指示された箇所に対応付けられた命令を実行する機能において、その複数の選択可能な領域、線または点などのうち、現在選択されている１つであることを点滅、反転などの表示方法によりユーザーに明示的に示していることをいう。
【発明の効果】
【０００７】
以上のように、本発明の実施の形態では、ＷＥＢサーバ上のハイパーテキスト文書を表示し、リモコンでフォーカスを移動させるインターネットテレビ装置において、前記ハイパーテキスト文書を表示する表示手段と、前記ハイパーテキスト文書を解析してフォーカス移動可能な選択項目を抽出する解析手段と前記リモコンの入力ボタン情報から得られたリモコンボタンの位置から前記表示手段上の特定の領域を特定する領域特定手段と、前記領域内のどの選択項目に移動するかを決定するフォーカス位置決定手段を備えたことによりフォーカスの移動を容易に行うことができるという効果がある。
【発明を実施するための最良の形態】
【０００８】
以下本発明を実施するための最良の形態について、図面を参照しながら説明する。
【０００９】
（実施の形態１）
図１は、本実施形態にかかるインターネットテレビ装置の全体を示すものである。図において１１はインターネットテレビ本体であり、１２はリモコン信号受信部であり、リモコン１３の信号を受信する。リモコン１３は、リモコン信号送信部１４と、数字キーボタン１５と、方向ボタン１６を有する。
【００１０】
図２は、インターネットテレビ装置に表示されるハイパーテキスト文書の一例である。図２おいて２１が現在フォーカスがある選択項目であり、例えば図１のリモコン１３の方向ボタン１６の下ボタンを押すとフォーカスが２２に移動する。
【００１１】
図３は、本実施形態にかかるインターネットテレビ装置の構成を示すブロック図である。図３において、入力手段３１はリモコンからの入力を取得し、領域特定手段３２に渡す。領域特定手段３２はリモコン入力が画面上のどの領域を指すかを特定し、その領域情報をフォーカス位置決定手段３４に渡す。解析手段３３はハイパーテキスト文書を解析してフォーカス移動可能な選択項目を抽出し、抽出した選択項目情報をフォーカス位置決定手段３４に渡す。フォーカス位置決定手段４は前記領域特定手段３２から得た領域情報と前記フォーカス位置決定手段３４から得た選択項目情報とからどの選択項目に移動するかを決定し、表示手段３５を通じて画面に表示する。
【００１２】
このような構成により、図２のハイパーテキスト文書が表示されているとき、その画面は図４のような領域に１２分割して扱われる。この１２分割は図１のリモコン１３の数字キーボタン１５の配列と同じ構成になっているので、画面上の領域の位置関係が容易に操作者にわかる構成となっている。このとき２１にフォーカスがある状態で、リモコンの数字キーボタンの中の１２のボタンを押すと、それは図４の領域１２の位置を指すことになり、図５の１２の領域内にある選択項目５１にフォーカスが移動する。
【００１３】
ここで、もし選択された領域内に移動可能な選択項目が複数あった場合は、領域の中心に近いものを選択するなど、ある条件のもと項目を選択することになる。また、選択された項目が操作者の所望の選択項目と若干ずれる場合もあるが、すぐ近傍までフォーカスが移動しているので、わずかな移動操作により選択可能である。
【００１４】
なお、上記例ではリモコンの数字キーボタンを用いる構成としたが、数字キーボタンに限定せず他のキーボタンを含んでもよい。また、ハイパーテキスト文書のフォーカス移動に限らずリモコンを使ったテレビ画面上のフォーカス操作一般に使用することも可能である。
【００１５】
上記のように、本発明の実施の形態では、ＷＥＢサーバ上のハイパーテキスト文書を表示し、リモコンでフォーカスを移動させるインターネットテレビ装置において、前記ハイパーテキスト文書を表示する表示手段と、前記ハイパーテキスト文書を解析してフォーカス移動可能な選択項目を抽出する解析手段と前記リモコンの入力ボタン情報から得られたリモコンボタンの位置から前記表示手段上の特定の領域を特定する領域特定手段と、前記領域内のどの選択項目に移動するかを決定するフォーカス位置決定手段を備えたことにより画面上に選択項目が多い場合であっても、フォーカスの移動を容易に少ない操作で行うことが可能となる。
【産業上の利用可能性】
【００１６】
本発明にかかるインターネットテレビ装置は、フォーカスの移動を容易に行うことが可能となるのでインターネットテレビ装置に関し、特に、フォーカスの移動操作方式に関して有用である。
【図面の簡単な説明】
【００１７】
【図１】本発明の１実施形態にかかるインターネットテレビ装置の全体図
【図２】ハイパーテキスト文書の表示を示す図
【図３】本発明の１実施形態にかかるインターネットテレビ装置の構成を示すブロック図
【図４】リモコンの数字キーと対応した画面の分割図
【図５】フォーカス移動後のハイパーテキスト文書の表示を示す図
【符号の説明】
【００１８】
１１    インターネットテレビ本体
１２    リモコン信号受信部
１３    リモコン
１４    リモコン信号送信部
１５    数字キーボタン
１６    方向ボタン
２１    フォーカス位置
２２    次の選択項目
３１    入力手段
３２    領域特定手段
３３    解析手段
３４    フォーカス位置決定手段
３５    表示手段
５１    移動後のフォーカス位置
【図１】
2007074460.tif 000003
【図２】
2007074460.tif 000004
【図３】
2007074460.tif 000005
【図４】
2007074460.tif 000006
【図５】
2007074460.tif 000007